(57)【要約】【課題】設定した露出条件による撮影の効果を撮影前に確認できるようにする。【解決手段】撮影装置１では、入力部１３を介して露出条件の設定情報が入力されると、当該露出条件の設定情報に従って、カメラ部１４により仮撮影が行われる。仮撮影により得られた撮影画像は画像処理部１７により縮小処理が施され、プレビュー画像が作成される。次いで、表示部１２ではスルー画像の表示画面が表示され、ＣＰＵ１１の表示制御によりこの表示画面上に子画面が設けられ、当該子画面上に前記作成されたプレビュー画像が表示される。【選択図】図１
2006261912.tif 000002
【特許請求の範囲】
【請求項１】
撮影時の露出条件の設定情報を入力するための入力手段と、
前記露出条件による撮影画像のプレビューを指示操作するための指示手段と、
前記指示手段によるプレビュー指示に応じて、前記入力された露出条件の設定情報に従って仮撮影を行う撮影手段と、
前記仮撮影により得られた撮影画像に基づいてプレビュー画像を生成する画像生成手段と、
表示画面上に子画面を設け、当該子画面上に前記プレビュー画像を表示する表示手段と、
を備えることを特徴とする撮影装置。
【請求項２】
前記入力手段は、複数の露出条件の設定情報を入力し、
前記撮影手段は、前記入力された複数の露出条件の設定情報に従って複数回仮撮影を行い、
前記画像生成手段は、前記仮撮影により得られた複数の撮影画像についてそれぞれプレビュー画像を生成し、
前記表示手段は、前記生成された複数のプレビュー画像を表示することを特徴とする請求項１記載の撮影装置。
【請求項３】
前記表示手段は、前記子画面上に前記プレビュー画像を表示するとともに、当該プレビュー画像と対応付けてその撮影時の露出条件の情報を表示することをすることを特徴とする請求項１又は２に記載の撮影装置。
【請求項４】
前記プレビュー画像にその撮影時の露出条件に応じた画像処理を施す画像処理手段を備え、
前記表示手段は、前記画像処理が施されたプレビュー画像を表示することを特徴とする請求項１〜３の何れか一項に記載の撮影装置。
【発明の詳細な説明】
【技術分野】
【０００１】
本発明は、異なる撮影条件による撮影が可能な撮影装置に関する。
【背景技術】
【０００２】
従来から、撮影時の露出条件（絞りやシャッタースピード等）を変えて撮影を行いたいという要望がある。これに対し、まず予備撮影を行ってその撮影結果を表示により確認した後に、ユーザが撮影パラメータを修正することができる撮影装置が開発されている（例えば、特許文献１参照）。
【０００３】
また、同じ被写体について異なる露出条件の撮影画像を生成するブラケット撮影が可能な撮影装置もある。ブラケット撮影によれば、様々な露出条件による撮影効果を比較することができたり、それらの撮影画像の中から好適なものを選ぶことができ、便利である。
【０００４】
通常、ブラケット撮影時にはユーザが露出条件を設定できることとなっているが、任意の露出条件を設定できるわけではなく、各露出条件のパラメータ値についてのシフト量のみをユーザが設定し、撮影装置がそのシフト量でパラメータ値をシフトさせてそのパラメータ値及び撮影回数を自動的に設定するというものである。例えば、絞りのパラメータＦ値の範囲が±２であり、ユーザによりシフト量が「１」と設定された場合には、撮影装置では１づつＦ値が自動的にシフトされ、ブラケット撮影時には、−２、−１、０、＋１、＋２の各Ｆ値で合計５回撮影が行われることとなる。
【特許文献１】特開２００１−２１１３５９号公報
【発明の開示】
【発明が解決しようとする課題】
【０００５】
露出条件を変えた場合の画像の画質等は、実際に撮影して得られた画像を確認しないとわからないため、上記特許文献１に記載の方法では、予備撮影により得られた撮影画像を表示画面全体に確認用に表示させている。しかし、通常、露出条件の他にも、色補正やコントラスト等、画像処理に関する条件も設定されているため、表示前に撮影画像に対して画像処理が行われる。よって、その画像処理が行われる分だけ再生表示に時間がかかってしまい、撮影の効率が低下する。
【０００６】
また、ブラケット撮影の場合、複数枚の撮影画像が得られるので、予備撮影後にその複数の撮影画像全てについて画像処理及び確認表示が行われると、次の撮影に移るまでにかなりの時間を要することとなる。
【０００７】
本発明の課題は、設定した露出条件による撮影の効果を撮影前に確認できるようにすることである。
【課題を解決するための手段】
【０００８】
請求項１記載の発明は、撮影時の露出条件の設定情報を入力するための入力手段と、前記露出条件による撮影画像のプレビューを指示操作するための指示手段と、前記指示手段によるプレビュー指示に応じて、前記入力された露出条件の設定情報に従って仮撮影を行う撮影手段と、前記仮撮影により得られた撮影画像に基づいてプレビュー画像を生成する画像生成手段と、表示画面上に子画面を設け、当該子画面上に前記プレビュー画像を表示する表示手段と、を備えることを特徴とする。
【発明の効果】
【０００９】
請求項１記載の発明によれば、仮撮影を行ってユーザにより設定された露出条件のプレビュー画像を生成して表示するので、ユーザはプレビュー画像により設定した露出条件による撮影効果を本撮影前に確認することができる。
【００１０】
請求項２記載の発明によれば、複数の露出条件のプレビュー画像を生成して表示するので、ユーザはプレビュー画像により複数の露出条件の撮影効果を確認することができるとともに、各露出条件の撮影効果を比較することができる。
【００１１】
請求項３記載の発明によれば、プレビュー画像の露出条件の情報により、どのプレビュー画像がどの露出条件によるものかを容易に認識することができる。
【００１２】
請求項４記載の発明によれば、プレビュー画像の露出条件に応じてその撮影効果を強調するような画像処理を施すことができる。これにより、小画面上に表示されたプレビュー画像のサイズが小さい場合でも、その撮影条件による撮影効果を把握しやすくなる。
【発明を実施するための最良の形態】
【００１３】
本実施形態では、撮影時の露出条件をユーザが自由に設定可能とし、本撮影を行う前に当該設定された露出条件で仮撮影してその撮影画像を子画面上にプレビュー表示する例を、通常の撮影とブラケット撮影の場合について説明する。
【００１４】
なお、通常の撮影とは、設定された撮影条件で１回撮影を行うことをいい、ブラケット撮影とは、同一の被写体を撮影対象として、それぞれ異なる撮影条件により複数のブラケット画像を生成することをいう。撮影条件には、絞りやシャッタースピード等の露出条件や、彩度やコントラスト等の撮影後の画像処理に関する条件が含まれる。
【００１５】
ブラケット撮影には、撮影条件を変更しながら複数回連続撮影を行って各撮影により複数のブラケット画像を生成する方法と、一回だけ撮影を行い、この撮影により得られた撮影画像に撮影条件に応じた画像処理を施すことにより複数のブラケット画像を生成する方法とが含まれる。前者は撮影時に変更が必要な露出条件の場合に適用され、後者は画像処理に関する条件の場合に適用される。また、ブラケット画像とはブラケット撮影により得られる複数の撮影画像をいい、それらは各ブラケット画像について設定された撮影条件に応じて、撮影又は画像処理されているものである。
【００１６】
まず、構成を説明する。
図１に、本実施形態における撮影装置１の構成を示す。
撮影装置１としては、デジタルカメラ、デジタルビデオカメラ、カメラを備えた携帯電話、ＰＤＡ（Personal Digital Assistant）等の携帯端末、カメラを備えたパーソナルコンピュータ等の情報処理装置を適用することができる。
【００１７】
図１に示すように、撮影装置１は、ＣＰＵ（Central Processing Unit）１１、表示部１２、入力部１３、カメラ部１４、ＲＡＭ（Random Access Memory）１５、記憶部１６、画像処理部１７を備えて構成されており、各部はバス１８を介して接続されている。
【００１８】
ＣＰＵ１１は、記憶部１６から本発明に係る通常撮影処理プログラム（図３参照）、ブラケット撮影処理プログラム（図５参照）等の各種制御プログラムを読み出し、当該プログラムに従って各種演算を行うとともに、処理の実行を統括的に制御する。なお、処理の内容については後述する。
【００１９】
表示部１２は、ＬＣＤ（Liquid Crystal Display）等のディスプレイを備えて構成される表示手段であり、ＣＰＵ１１の表示制御に従ってこのディスプレイ上にメニュー画面や、撮影時の露出条件等の撮影条件を設定するための設定画面等、各種操作画面を表示させる。
【００２０】
入力部１３は、撮影を指示操作するためのシャッターボタン、選択操作を行うためのカーソルキー、撮影モード、再生モード等の動作モードを切り替えるためのモード切替キー、プレビュー表示の指示手段であるプレビュー表示ボタン等、各種操作ボタンを備えて構成される入力手段である。入力部１３は、操作されたボタンに対応する操作信号を生成してＣＰＵ１１に出力する。
【００２１】
カメラ部１４は、ＣＰＵ１１による制御に従って撮影を行い、その撮影画像のデータを生成するものである。カメラ部１４は、例えば撮影レンズ、絞り機構、撮像素子、駆動回路、アナログ処理回路、Ａ／Ｄ変換回路、バッファレジスタ、信号処理回路等から構成される。
【００２２】
カメラ部１４による撮影方法について説明する。
まず被写体像（被写体の光学像）がカメラ部１４に入光すると、当該被写体像は撮影レンズ及び絞り機構を介してＣＣＤ（Charge Coupled Device）等の撮像素子上に結像される。撮像素子では、被写体像が結像されることによりその光量に応じた電荷が蓄積され、当該蓄積された電荷は駆動回路から与えられる駆動パルス信号によって順次読み出されてアナログ処理回路に出力される。アナログ処理回路では、色分離やゲイン調整、ホワイトバランス等の各種信号処理が行われ、当該処理された信号はＡ／Ｄ変換回路を介してデジタルデータのフレーム画像（静止画）としてバッファレジスタに記憶される。次いで、バッファレジスタに記憶されたフレーム画像は、信号処理回路において輝度信号及び色差信号に変換され、バス１８を介して図１に示したＲＡＭ１５に出力される。
【００２３】
ＲＡＭ１５は、一時的な記憶領域をＣＰＵ１１に提供するワークメモリである。
【００２４】
記憶部１６は、各種制御プログラムを記憶しているとともに、処理に必要なパラメータや、処理結果等の各種データを記憶している。
また、記憶部１６は、ブラケット露出設定ファイル１６１、マニュアル露出設定ファイル１６２、画像ファイル１６３を含む各ファイルを記憶している。
【００２５】
ブラケット露出設定ファイル１６１は、ブラケット撮影における複数回の各撮影についての撮影条件の設定情報が記憶されたファイルである。
ブラケット露出設定ファイル１６１には、図２に示すように、撮影順番毎に設定された露出条件が記憶されており、露出条件としては、絞り（Ｆ値）、シャッタースピードの設定情報が記憶されている。
【００２６】
また、ブラケット露出設定ファイル１６１には、露出条件の設定モードを示すフラグが記憶される。フラグは例えば２つのコードから形成され、最初のコードは、ユーザ自身が設定を行うマニュアル設定モードか、撮影装置１側で自動的に設定を行う自動モードかを示し、マニュアル設定モードの場合はＭ、自動モードの場合にはＡが設定される。次のコードは、マニュアル設定時に絞り又はシャッタースピードのうち、何れを優先的にマニュアル設定するかを示し、絞りの条件をマニュアル設定とし、シャッタースピードの条件は自動設定とする絞り優先ＡＥモードの場合はＡ、逆に絞りの条件は自動設定でシャッタースピードの条件をマニュアル設定とするシャッタースピード優先ＡＥモードの場合にはＳが設定される。よって、例えばマニュアル設定で絞り優先ＡＥモードの場合には「ＭＡ」のフラグが記憶されることとなる。
【００２７】
マニュアル露出設定ファイル１６２は、ブラケット撮影ではなく、通常の撮影を行う際にユーザにより入力された撮影条件の設定情報を管理するためのものである。つまり、マニュアル露出ファイル１６２は、図２に示すブラケット露出設定ファイル１６１において撮影順番の項目を削除したものと同一のファイル構成であり、一回分の撮影についての撮影条件だけが記憶されていることとなる。
【００２８】
画像ファイル１６３は、カメラ部１４により生成された撮影画像のデータを管理するためのファイルである。
なお、可搬型の外部メモリを接続可能とし、この外部メモリに画像ファイル１６３を記憶させることとしてもよい。
【００２９】
記憶部１６は、上記の各ファイル１６１〜１６３に限らず、絞り優先ＡＥモード、シャッタースピード優先ＡＥモードの際に用いられる優先設定ファイル（入力パラメータ値に適切な出力パラメータ値が予め規定されたファイル）等、撮影や設定の処理に必要な各種ファイルを記憶している。
【００３０】
画像処理部１７は、ＣＰＵ１１の指示に従って、撮影画像に各種画像処理を施す。画像処理としては、例えば階調変換処理、鮮鋭性調整処理、色変換処理等が挙げられる。
【００３１】
次に、動作について説明する。
図３は、撮影装置１により通常撮影モード時に実行される通常撮影処理を説明するフローチャートである。説明の前提として、露出条件のマニュアル操作を行うマニュアル設定モードがユーザにより設定されたこととする。
【００３２】
図３に示す通常撮影処理では、まずカメラ部１４による画像取込が開始され、生成されたフレーム画像により表示部１２においてスルー表示が行われる（ステップＡ１）。スルー表示とは、カメラ部１４により生成されたフレーム画像を保存することなくそのまま表示部１２に表示させることをいう。
【００３３】
次いで、撮影時の露出条件のマニュアル設定を行うための設定画面が表示部１２上に表示される（ステップＡ２）。設定画面では、露出条件として絞りのパラメータであるＦ値、シャッタースピードのパラメータ値の入力領域が表示されるので、ユーザはこの設定画面において入力部１３から露出条件の設定情報を入力することができる。そして、入力した露出条件による撮影効果を確認したい場合は、プレビューボタンを押下操作する。
【００３４】
撮影装置１では、設定画面において露出条件の設定情報が入力されると、ＣＰＵ１１により当該設定情報がマニュアル露出設定ファイル１６２に書き込まれ、露出条件の設定が行われる（ステップＡ３）。なお、絞り優先ＡＥモード、或いはシャッタースピード優先ＡＥモードが設定されている場合には、ユーザにより絞り又はシャッタースピードの何れかのパラメータ値が設定されると、ＣＰＵ１１により予め入力パラメータ値に対して適切なシャッタースピード又は絞りのパラメータ値が規定された優先設定ファイルに基づいてその設定されたパラメータ値に応じた適切なシャッタースピード又は絞りのパラメータ値が割り当てられ、設定されることとする。
【００３５】
露出条件の設定が終了すると、ＣＰＵ１１の表示制御により表示部１２ではスルー表示に切り替えられる。このスルー表示の状態で操作部１２を介してプレビューボタンが押下操作されると（ステップＡ４；Ｙ）、設定された露出条件でカメラ部１４により仮撮影が行われ、当該仮撮影により生成された撮影画像がＲＡＭ１５に一時記憶される（ステップＡ５）。仮撮影は、本撮影の前に撮影効果を確認するためのプレビュー画像を得るために行われる撮影である。
【００３６】
次いで、画像処理部１７により撮影画像に画像処理が施され、プレビュー用の縮小画像（これをプレビュー画像という）が作成される（ステップＡ６）。同時に、カメラ部１４では画像取込が再開され、表示部１２においてスルー表示が開始される。そして、ＣＰＵ１１の表示制御により、このスルー表示されているフレーム画像（これをスルー画像という）上に作成されたプレビュー画像が合成されて仮撮影のプレビュー表示が行われる（ステップＡ７）。
【００３７】
図４に、プレビュー表示例を示す。
図４（ａ）は、Ｆ値“２．８”、シャッタースピード“１／１２５”の露出条件の仮撮影により作成されたプレビュー画像ｅ１が、スルー画像Ｅ１に設けられた子画面上に表示されている例であり、図４（ｂ）は、Ｆ値“８”、シャッタースピード“１／１２５”の露出条件によるプレビュー画像ｅ２が、スルー画像Ｅ２の子画面上にに表示されている例である。何れもプレビュー画像ｅ１、ｅ２に対応して撮影時の露出条件ｐ１、ｐ２が表示されている。
【００３８】
ユーザは、プレビュー画像ｅ１、ｅ２により露出条件を変えたときの撮影効果を確認することができる。例えば、プレビュー画像ｅ１では、Ｆ値が小さい値に設定されたため、被写界深度が浅く、ピントを合わせた花の被写体の前後がぼけた画質となっているのがわかる。また、プレビュー画像ｅ２では、Ｆ値が大きく、被写界深度が深いため、花の被写体の前後についてもピントが合ったように鮮鋭となっていることがわかる。
【００３９】
ユーザは、プレビュー画像ｅ１、ｅ２を観察の結果、その撮影結果で良ければ設定した露出条件を確定し、本撮影を行うため入力部１３を介してシャッターボタンを押下操作する。一方、撮影結果に不満がある場合は露出条件の変更の設定を指示操作する。
【００４０】
撮影装置１では、プレビュー表示後、ユーザによる指示操作が待機され、露出条件の変更設定が指示操作されたとＣＰＵ１１により判別されると（ステップＡ８；Ｙ）、ステップＡ２の処理に戻り、ステップＡ２〜Ａ８の処理を繰り返す。
【００４１】
一方、露出条件の変更設定の指示操作ではなく、シャッターボタンが押下操作されたと判別されると（ステップＡ９；Ｙ）、ＣＰＵ１１によりマニュアル露出設定ファイル１６１に設定された露出条件が読み出され、当該露出条件に従ってカメラ部１４により本撮影が行われる。すなわち、スルー表示の状態でシャッターボタンが押下された直後に生成されたフレーム画像が撮影画像として取得される。そして、この撮影画像が記憶部１６の画像ファイル１６３に記憶され、保存されると（ステップＡ１０）、本処理を終了する。
【００４２】
次に、図５を参照して、ブラケット撮影モード時に撮影装置１により実行されるブラケット撮影処理を説明するフローチャートである。説明の前提として、ユーザにより露出条件をマニュアル設定する設定モードが設定操作されたこととする。
【００４３】
図５に示すブラケット撮影処理では、まずカメラ部１４による画像取込が開始され、生成されたフレーム画像により表示部１２においてスルー表示が行われる（ステップＢ１）。
【００４４】
次いで、ブラケット撮影時の露出条件をマニュアル設定するための設定画面が表示部１２上に表示される（ステップＢ２）。設定画面では、露出条件として絞りのパラメータであるＦ値、シャッタースピードの値の入力領域が撮影順番毎に表示されるので、ユーザはこの設定画面においてブラケット撮影の各撮影について入力部１３から露出条件の設定情報を入力することができる。なお、撮影数の増減の設定が可能としてもよい。そして、入力した露出条件による撮影効果を確認したい場合は、プレビューボタンを押下操作する。
【００４５】
撮影装置１では、設定画面において各撮影の露出条件の設定情報が入力されると、ＣＰＵ１１により当該設定情報がブラケット露出設定ファイル１６１に書き込まれ、露出条件の設定が行われる（ステップＢ３）。なお、絞り優先ＡＥモード、或いはシャッタースピード優先ＡＥモードが設定されている場合には、ユーザにより絞り又はシャッタースピードの何れかのパラメータ値が設定されると、ＣＰＵ１１により優先設定ファイルに基づいてその設定されたパラメータ値に応じて適切なシャッタースピード又は絞りのパラメータ値が割り当てられ、設定されることとする。
【００４６】
設定が終了すると、ＣＰＵ１１の表示制御により表示部１２ではスルー表示に切り替えられる。このスルー表示の状態で操作部１２を介してプレビューボタンが押下操作されると（ステップＢ４；Ｙ）、設定された露出条件でカメラ部１４により仮ブラケット撮影が行われる。つまり、各撮影について設定された露出条件に変更されながら複数回連続して撮影が行われる。そして、当該仮ブラケット撮影により生成された各撮影画像がＲＡＭ１５に一時記憶される（ステップＢ５）。仮ブラケット撮影は、本ブラケット撮影の前に撮影効果を確認するためのプレビュー画像を得るために行われる撮影である。
【００４７】
次いで、画像処理部１７により各撮影画像に画像処理が施され、撮影画像が縮小されたプレビュー画像がそれぞれ作成される（ステップＢ６）。同時に、カメラ部１４では画像取込が再開され、表示部１２においてスルー表示が開始される。そして、ＣＰＵ１１の表示制御により、このスルー表示されているスルー画像上に作成された複数撮影分のプレビュー画像が合成されて仮ブラケット撮影のプレビュー表示が行われる（ステップＢ７）。
【００４８】
図６に、プレビュー表示例を示す。
図６（ａ）は、マニュアル設定モードの際のプレビュー画像例を示すものであり、スルー画像Ｅ３上に子画面が設けられ、当該子画面上に仮ブラケット撮影により作成されたプレビュー画像ｅ３１〜ｅ３４が表示されている。また、各プレビュー画像ｅ３１〜ｅ３４に対応付けてその絞り（Ｆ値）、シャッタースピードの設定値が表示されている。各プレビュー画像ｅ３１〜ｅ３４は、Ｆ値が“２．８”、“４”、“５．６”、“８”とそれぞれ個別に設定され、シャッタースピードが一律“１／１２５”に設定されて撮影されている。
【００４９】
ユーザは、プレビュー画像ｅ３１〜ｅ３４を比較することにより露出条件を変えたときの撮影効果を確認することができる。例えば、プレビュー画像ｅ３１では、Ｆ値が小さい値に設定されたため、被写界深度が浅く、ピントを合わせた花の被写体の前後がぼけた画質となっているのがわかる。これに対し、Ｆ値が徐々に増加するのに伴って被写界深度が深くなり、Ｆ値が最大のプレビュー画像ｅ３４では花の被写体の前後についてもピントが合わせられたように鮮鋭となっていることがわかる。
【００５０】
なお、絞り優先ＡＥモードやシャッタースピード優先ＡＥモードが設定されている場合、図６（ｂ）に示すようなプレビュー表示が行われる。図６（ｂ）は絞り優先ＡＥモードの例であるが、優先ＡＥモードでは、撮影装置１側で適切と判断されたパラメータ値が自動設定されるので、Ｆ値、シャッタースピードが異なる値のプレビュー画像が子画面上に表示されている。
【００５１】
ユーザは、プレビュー画像によりその撮影結果で良ければ設定した露出条件を確定し、そのままその露出条件で本撮影を行う場合は、入力部１３を介してシャッターボタンを押下操作する。一方、撮影結果に不満がある場合は露出条件の変更の設定を指示操作する。
【００５２】
撮影装置１では、プレビュー表示後、ユーザによる指示操作が待機される。そして、入力部１３を介して露出条件の変更設定が指示操作されたとＣＰＵ１１により判別されると（ステップＢ８；Ｙ）、ステップＡ２の処理に戻り、ステップＡ２〜Ａ８の処理を繰り返す。
【００５３】
一方、露出条件の変更設定の指示操作ではなく、シャッターボタンが押下操作されたと判別されると（ステップＢ９；Ｙ）、ＣＰＵ１１によりマニュアル露出設定ファイル１６１に設定された露出条件が読み出され、当該露出条件に従ってカメラ部１４により本撮影が行われる。すなわち、スルー表示の状態でシャッターボタンが押下された直後に生成されたフレーム画像が撮影画像として取得される。そして、この撮影画像が記憶部１６の画像ファイル１６３に記憶され、保存されると（ステップＢ１０）、本処理を終了する。  
【００５４】
以上のように、本実施形態によれば、撮影時の露出条件をユーザが設定可能とし、本撮影の前に仮撮影を行ってブレビュー画像を作成する。そして、スルー画像の表示画面に子画面を設け、当該子画面上にプレビュー画像を表示する。プレビュー画像は縮小画像であるので、このプレビュー表示までの時間を短縮することができ、ユーザはプレビュー画像により自身が設定した露出条件による撮影効果を本撮影前にすばやく確認することができる。よって、撮影効率が向上する。
【００５５】
また、ブラケット撮影の際にも同様に仮ブラケット撮影を行って、各撮影についてそれぞれのプレビュー画像を子画面上に表示するので、ユーザはブラケット撮影の各撮影について設定した露出条件による撮影効果を本撮影前にすばやく確認することができる。また、ブラケット撮影の場合には、複数枚のプレビュー画像を表示することになるが、縮小画像によりプレビュー表示を行うので全てのプレビュー画像を表示する場合でも、その表示に係る時間を短縮化することができる。よって、ブラケット撮影時には本発明を適用することは特に有効である。
【００５６】
なお、本実施形態における撮影装置１は、本発明を適用した好適な一例であり、これに限定されるものではない。
例えば、上述した説明では、スルー画像を全画面に表示し、その上にプレビュー画像を子画面で表示することとしたが、ユーザの操作に応じてこの全画面及び子画面の表示を切り替えることとしてもよい。つまり、ユーザにより切替表示が指示操作されると、画面全体に表示していたスルー画像を子画面に、子画面に表示していたプレビュー画像を画面全体に表示する。或いは、子画面で表示したプレビュー画像を指示操作に応じて拡大表示することとしてもよい。これにより、プレビュー画像を拡大表示させることができ、撮影効果を確認しやすくなる。
【００５７】
また、プレビュー画像は子画面で表示されるが、表示部１２の画面サイズが小さい場合にはブレビュー画像も小さくなってしまう。これでは、撮影効果を確認しづらい場合があるので、画像処理部１７によりプレビュー画像にその撮影効果を強調する画像処理を施すこととしてもよい。例えば、水しぶきを撮影する場合、水滴をとらえた画像を撮影するためにシャッタースピードが早く設定された場合には、鮮鋭性調整処理によりシャープネス（鮮鋭性）を強調したり、水が流れる様子を表現するためシャッタースピードが遅く設定されると、シャープネスを低下させる。これにより、撮影効果が強調されるので、プレビュー画像の表示サイズが小さくても撮影効果を把握することができる。
【００５８】
また、上述した説明では、露出条件のみを設定する例を説明したが、これに限らず、ホワイトバランスや彩度、コントラスト等の画質に係る撮影条件も設定可能とし、当該撮影条件を反映したプレビュー画像を表示させることとしてもよい。これにより、露出条件だけでなく、他の条件による撮影効果についても容易に確認することができる。
【図面の簡単な説明】
【００５９】
【図１】本発明を適用した実施形態における撮影装置の内部構成を示す図である。
【図２】ブラケット露出設定ファイル１６１のファイル構成を示す図である。
【図３】撮影装置により実行される通常撮影処理を説明するフローチャートである。
【図４】（ａ）、（ｂ）はプレビュー画像例を示す図である。
【図５】撮影装置により実行されるブラケット撮影処理を説明するフローチャートである。
【図６】（ａ）、（ｂ）はプレビュー画像例を示す図である。
【符号の説明】
【００６０】
１    撮影装置
１１    ＣＰＵ
１２    表示部
１３    入力部
１４    カメラ部
１５    ＲＡＭ
１６    記憶部
１７    画像処理部
【図１】
2006261912.tif 000003
【図２】
2006261912.tif 000004
【図３】
2006261912.tif 000005
【図４】
2006261912.tif 000006
【図５】
2006261912.tif 000007
【図６】
2006261912.tif 000008